(57)【特許請求の範囲】
【請求項１】
ドア枠に支軸を介して戸パネルを開閉自在に取り付けてなる開き戸の緩衝装置であって、上記ドア枠における支軸側に面した上下枠部の少なくとも一方の枠部の端部に上下方向に向けて突設しているピン部材と、このピン部材に対向する上記戸パネルにおけるパネル枠部に埋設状態で装着した装置本体とからなり、装置本体は上記ピン部材を挿脱可能に受け入れる溝孔部を設けた中空ケース体の内部に引き込み機能を備えた緩衝手段と、この緩衝手段に引き込み方向に往復移動可能に連結し且つ上記ピン部材と係脱する係合部を設けているスライダー部材とを配設していると共に上記溝孔部に沿ってスライダー部材のガイド溝を設けて上記ピン部材に対するスライダ部材の係合部を常時、上記溝孔部に向けた状態で該ガイド溝に沿ってスライダ部材を移動させるように構成してあり、さらに、上記緩衝手段における引き込み機能の引き込み力に抗してスライダー部材をその係合部がピン部材を受け入れ可能な姿勢を保持した状態でロックすると共に戸パネルの閉止方向の回動によってピン部材が係合部に係止した時にロックを解くようにしたロック機構を配設してこのロック機構のロックの解放によってスライダー部材の係合部にピン部材を係止させた状態で上記緩衝手段の引き込み機能の引き込み力により戸パネルを閉止方向に回動させ、戸パネルの開放時にピン部材によってスライダー部材を引き込み機能の引き込み力に抗してロック機構のロック位置まで移動させるように構成したことを特徴とする開き戸の緩衝装置。
【請求項２】
ガイド溝の一端部を、該ガイド溝の長さ方向に対してスライダー部材の先端から基端側に向かう方向に屈折した係止溝部に形成している一方、スライダー部材の基端部両端に、ガイド溝に摺動自在に挿入した第１係止ピンと第２係止ピンを突設して、上記係止溝部とこの係止溝部に係脱自在に係止する上記一端側の第１係止ピンとによってロック機構を構成していると共に、スライダー部材の先端部両端に第１係合片と第２係合片とからなる係合部を突設して戸パネルの閉止時にピン部材を他端側の第２係止片に当接、係止させることによりロックを解除し、戸パネルの開放時にピン部材を一端側の第１係止片に係止させた状態でスライダー部材を一端側に移動させてロックさせるように構成したことを特徴とする請求項１に記載の開き戸の緩衝装置。
【請求項３】
引き込み機能を備えた緩衝手段は装置本体の他端部内に配設されたコイルスプリングとダンパとからなり、これらのコイルスプリングとダンパの一端をリンク部材を介してスライダー部材の基端面に回動自在に連結していることを特徴とする請求項１又は請求項２に記載の開き戸の緩衝装置。
【発明の詳細な説明】
【技術分野】
【０００１】
本発明は、マンションや戸建て住宅などの建物における出入口に開閉自在に設けられた開き戸の緩衝装置に関するものである。
【背景技術】
【０００２】
従来から、建物に設けられる開き戸としては、ドア枠に戸パネルを蝶番によって開閉自在に取り付けた構造のものが広く採用されているが、開き戸は、例えば、強風や室内外の気圧差等により不意に勢い良く閉止する事態が発生し、開き戸の戸先部とドア枠の戸当たり部との間や戸先部とドア枠との間に指や手などが挟まれて怪我をする虞れがある。
【０００３】
このため、例えば、特許文献１に記載されているように、開き戸の上端部にドアクローザーを装着すると共に、このドアクローザーから突出している回動軸とドア枠とを、アーム部材とドア枠に装着した案内部材とによって連結して、開き戸を開く時と閉じる時との回動軸の回動方向を互いに逆向きとし、開き戸の開放時には、回動軸の回動によってドアクローザー内のシリンダ部に摺動自在に内嵌させているピストン体をスプリング力に抗して摺動させ、開き戸を開放したのち手放すと、スプリングの復元力によってピストン体を逆方向に摺動させると共にその摺動によって上記回動軸を逆方向に回動させることによりアーム部材と案内部材を介して開き戸を閉鎖方向に回動させている。この際、シリンダ部内の作動油の流通路の開度を調整バルブによって調整してピストン体の摺動速度、即ち、開き戸の閉鎖速度を変化させ、開き戸を緩衝的に閉鎖させるように構成している。
【０００４】
また、特許文献２に記載されているように、開き戸の戸先部や蝶番側の側枠部、或いはドア枠の側枠部に凹欠部分を形成し、この凹欠部分に棒状のスポンジやゴム材等の緩衝材を装着して指先等が挟まった際の衝撃を緩和するように構成した開き戸の構造も開発されている。
【特許文献１】特開平８−１５８７３４号公報
【特許文献２】特開２００４−３１６４０９号公報
【発明の開示】
【発明が解決しようとする課題】
【０００５】
しかしながら、上記ドアクローザーからなる緩衝装置によれば、装置全体が大型化して開き戸の枠部内に組み入れることが困難であり、クローザー本体ばかりでなくアーム部材や案内部材が外部に露呈して外観を著しく損することになり、また、構造が複雑でコスト高になるといった問題点があった。
【０００６】
一方、後者のように、開き戸の戸先部やドア枠の側枠部に緩衝材を装着した構造では、指等が挟まった際の衝撃を緩和する効果を奏することができても、強風等によって開き戸が勢い良く閉まるの防止することができないため、根本的な解決手段にはならないという問題点があった。
【０００７】
本発明はこのような問題点に鑑みてなされたもので、その目的とするところは、簡単な構造によって開き戸の急激な閉止を防止することができると共に開閉操作も円滑に行え、また、ドアクローザのように外部に露出するようなことはなく体裁のよい外観を呈する開き戸の緩衝装置を提供するにある。
【課題を解決するための手段】
【０００８】
上記目的を達成するために本発明の開き戸の緩衝装置は、請求項１に記載したように、ドア枠に支軸を介して戸パネルを開閉自在に取り付けてなる開き戸の緩衝装置であって、上記ドア枠側に突設したピン部材と、上記戸パネル側に装着した装置本体とからなり、装置本体はその内部に引き込み機能を備えた緩衝手段と、この緩衝手段に引き込み方向に往復移動可能に連結し且つ上記ピン部材と係脱する係合部を設けているスライダー部材と、上記緩衝手段における引き込み機能の引き込み力に抗してスライダー部材をその係合部がピン部材を受け入れ可能な姿勢を保持した状態でロックすると共に戸パネルの閉止方向の回動によってピン部材が係合部に係止した時にロックを解くようにしたロック機構とを配設してあり、このロック機構のロックの解放によってスライダー部材の係合部にピン部材を係止させた状態で上記緩衝手段の引き込み機能の引き込み力により戸パネルを閉止方向に回動させ、戸パネルの開放時にピン部材によってスライダー部材を引き込み機能の引き込み力に抗してロック機構のロック位置まで移動させるように構成している。
【０００９】
さらに、このように構成した開き戸の緩衝装置において、本発明は、上記戸パネルを開閉自在に枢着したドア枠における支軸側に面した上下枠部の少なくとも一方の枠部の端部に上下方向に向けてピン部材を突設している一方、このピン部材に対向する戸パネルにおけるパネル枠部に、該ピン部材を挿脱可能に受け入れる溝孔部を設けた中空ケース体からなる装置本体を埋設状態で装着し、この装置本体の一端部に上記溝孔部に沿ってスライダー部材のガイド溝を設けてピン部材に対するスライダー部材の係合部を常時、上記溝孔部に向けた状態で該ガイド溝に沿ってスライダー部材を移動させるように構成している。
【００１０】
請求項２に係る発明は、上記ガイド溝の一端部に、該ガイド溝の長さ方向に対してスライダー部材の先端から基端側に向かう方向に屈折した係止溝部に形成している一方、スライダー部材の基端部両端に、ガイド溝に摺動自在に挿入した第１係止ピンと第２係止ピンを突設して、上記係止溝部とこの係止溝部に係脱自在に係止する上記一端側の第１係止ピンとによってロック機構を構成していると共に、スライダー部材の先端部両端に第１係合片と第２係合片とからなる係合部を突設して戸パネルの閉止時にピン部材を他端側の第２係止片に当接、係止させることによりロックを解除し、戸パネルの開放時にピン部材を一端側の第１係止片に係止させた状態でスライダー部材を一端側に移動させてロックさせるように構成している。
【００１１】
また、請求項３に係る発明は、上記引き込み機能を備えた緩衝手段は装置本体の他端部内に配設されたコイルスプリングとダンパとからなり、これらのコイルスプリングとダンパの一端をリンク部材を介してスライダー部材の基端面に回動自在に連結していることを特徴とする。
【発明の効果】
【００１２】
請求項１に係る発明によれば、ドア枠側にピン部材を突設する一方、戸パネル側に引き込み機能を備えた緩衝手段と、この緩衝手段に引き込み方向に往復移動可能に連結し且つ上記ピン部材と係脱する係合部を設けているスライダー部材と、上記緩衝手段における引き込み機能の引き込み力に抗してスライダー部材をその係合部がピン部材を受け入れ可能な姿勢を保持した状態でロックすると共に戸パネルの閉止方向の回動によってピン部材が係合部に係止した時にロックを解くようにしたロック機構とを備えている装置本体を装着した構造としているので、従来のドアクローザーのように、本体とドア枠とを連結するアーム部材やリンク機構等を必要とすることなく、外観的に優れた体裁のよい緩衝装置を提供することができると共に、ドア枠側に突設したピン部材を戸パネル側に装着した装置本体のスライダー部材に係脱させるといった簡単な構造によって開き戸を構成している戸パネルを緩衝的に且つ円滑に開閉させることができる。
【００１３】
この際、上述したように、ドア枠側に突設しているピン部材と戸パネル側に装着している装置本体とは何ら連結していないから、戸パネルを開放状態から閉止方向に回動させて該ピン部材が装置本体に設けている上記スライダー部材の係合部に係止するまでは緩衝手段などを備えていない通常の開き戸と同様に、戸パネルを閉止方向に軽快に回動させることができ、ピン部材がスライダー部材の係合部に係止したのちは、引き込み機能を備えた緩衝手段の引き込み力を保持させた状態でロックしている該スライダー部材のロックを解いてこの引き込み力によりピン部材に係止しているスライダー部材を相対的に引き寄せながら戸パネルを支軸を中心としてゆっくりと静かに閉止させることができ、手や指先が挟まれて怪我をするのを防止することができる。
【００１４】
また、戸パネルを閉止した状態から開放方向に回動させると、スライダー部材がピン部材に係止した状態で緩衝手段の引き込み機能を引き伸ばしながら装置本体の一端に向かって移動して戸パネルの急激な開放を抑止しながら開放させることができると共に、戸パネルが一定の開度にまで開放した時に、スライダー部材をロック機構に係止させて緩衝手段の引き込み機能による引き込み力を保持させた状態にすることができ、この状態からスライダー部材からのピン部材の係止を解いて該ピン部材からスライダー部材を離間させながら戸パネルを通常の開き戸と同様に、大きく開放させることができる。
【００１５】
さらに、本発明によれば、上記ピン部材をドア枠における支軸側に面した上下枠部の少なくと一方の枠部の端部に上下方向に向けて突設する一方、このピン部材に対向する戸パネルにおけるパネル枠部に、該ピン部材を挿脱可能に受け入れる溝孔部を設けた中空ケース体からなる上記装置本体を埋設状態で装着しているので、外部に対してはピン部材だけが露出させた構造となって通常の開き戸と殆ど変わらない体裁のよい外観を呈すると共に、新設の戸パネルに対しては勿論、既設の戸パネルに対してもこの緩衝装置を簡単に装着することができて緩衝機能を備えた開き戸を構成することかできるものであり、その上、この装置本体の一端部に上記ピン部材が挿脱する溝孔部に沿ってスライダー部材のガイド溝を設けてピン部材に対するスライダー部材の係合部を常時、上記溝孔部に向けた状態で該ガイド溝に沿ってスライダー部材を移動させるように構成しているので、戸パネルの閉止時には常に所定の位置でピン部材とスライダー部材とを正確に係合させることができ、戸パネルの開放時には上記位置に達したピン部材をスライダー部材の係合部から外してスライダー部材をロック位置に停止させておくことができる。
【００１６】
また、請求項２に係る発明によれば、上記ガイド溝の一端部を、該ガイド溝の長さ方向に対してスライダー部材の先端から基端側に向かう方向に屈折した係止溝部に形成している一方、スライダー部材の基端部両端に、ガイド溝に摺動自在に挿入した第１係止ピンと第２係止ピンを突設して、上記係止溝部とこの係止溝部に係脱自在に係止する上記一端側の第１係止ピンとによって上記ロック機構を構成していると共に、スライダー部材の先端部両端に第１係合片と第２係合片とからなる係合部を突設しているので、第１係止ピンが係止溝部に係止した状態においては、スライダー部材がガイド溝の上端部内に位置している第２係止ピンを中心として係止溝部側に向かって傾斜した状態を保持させておくことができる。
【００１７】
従って、この状態においては、スライダー部材の先端側に突設している上記第１係合片と第２係合片における一端側の第１係合片をピン部材が挿脱する上記溝孔部から後退させる一方、第２係合片を該溝孔部内に突出させた状態にすることができ、そのため、戸パネルの閉止時にはピン部材を第１係合片上を通過させて第２係合片に当接させ、スライダー部材を第２係止ピンを支点として第１係止ピンが係止溝部から外れる方向に回動させてロックを積極的に解除することができると共にその回動によって第１係合片をピン部材に係止させて緩衝手段における引き込み機能の引き込み力により戸パネルを自動的に且つ緩やかに閉止させることができる。
【００１８】
さらに、戸パネルを閉止状態から解放させると、その解放に従って緩衝手段の引き込み機能を張引しながらピン部材と係合したスライダー部材をガイド溝に沿って一端側に向かって移動させることができ、ガイド溝の一端に達した時に第２係止ピンを支点として第１係止ピンを係止溝部側に移動させてスライダー部材をその位置でロックさせると共にピン部材をスライダー部材の係合部から自動的に離脱させて次の閉止操作に待機させておくことができる。
【００１９】
上記引き込み機能を備えた緩衝手段としては、例えば、請求項３に記載したように、コイルスプリングとダンパとから構成しておくことができ、このコイルスプリングとダンパとを装置本体の他端部内に配設し、その一端をリンク部材を介して上記スライダー部材の基端面に回動自在に連結することによって、戸パネルの解放時と閉止時には、該戸パネルを制動しながら上述したように戸パネルの開閉動作を円滑に緩衝的に行わせることができる。
【発明を実施するための最良の形態】
【００２０】
次に、本発明の実施の形態を図面について説明すると、図１は本発明の緩衝装置を装着した戸パネルＡにおける要部の横断面図、図２はその縦断正面図、図３は緩衝装置の本体１の内部構造の斜視図、図４は戸パネルＡをドア枠Ｂに回動支軸である蝶番Ｃによって開閉自在に枢着してなる開き戸の一部斜視図であって、戸パネルＡは矩形状のパネルの四方端面に枠部（図示せず）を一体に固着してなり、この戸パネルＡの一側枠部における上下部をドア枠Ｂにおける対向する側枠部の上下部に上記蝶番Ｃ、Ｃによって開閉自在に枢着して開き戸を構成し、さらに、戸パネルＡ側に上記装置本体１を装着する一方、ドア枠Ｂ側に装置本体１と対向させてピン部材２を突設している。
【００２１】
緩衝装置の上記装置本体１は角筒形状の中空ケース体からなり、この内部に引き込み機能３を備えた緩衝手段４と、この緩衝手段４に引き込み方向に往復移動可能に連結し且つ上記ピン部材２と係脱する係合部６を設けているスライダー部材５と、上記緩衝手段４における引き込み機能３の引き込み力に抗してスライダー部材５をその係合部６が上記ピン部材２を受け入れ可能な姿勢を保持した状態でロックすると共に戸パネルＡの閉止方向の回動によってピン部材２が係合部６に当接、係止した時にロックを解くようにしたロック機構７とを配設している。
【００２２】
この緩衝装置の構造をさらに詳しく説明すると、上記ピン部材２はドア枠Ｂの上枠部B1における蝶番Ｃ側に面した端部の下面に下方に向かって突設している。なお、このピン部材２は、ドア枠Ｂの上枠部B1側に限らず、ドア枠Ｂの下枠部（図示せず）における蝶番Ｃ側に面した端部の上面中央部に上方に向かって突設しておいてもよく、要するに、ドア枠Ｂの上下枠部の少なくとも一方の枠部に上下方向に向けて突設しておけばよい。また、このピン部材２を形成する材料としては、ステンレス鋼、鉄、アルミニウムなどの金属、合金の他、硬質合成樹脂や樹脂強化木材などを用いることができるが、強度や耐久性を考慮すると、高強度の金属、合金から形成することが好ましい。このピン部材２はその基端を座板2aの中央部に一体に固着してあり、この座板2aをネジやボルト、接着剤等によってドア枠Ｂの枠部に取り付けるように構成している。
【００２３】
一方、上記装置本体１はピン部材２に対向する戸パネルＡにおけるパネル枠部A1に該装置本体１と同大、同形の凹部ａを形成し、この凹部ａ内に該装置本体１をその長さ方向を戸幅方向に向けた状態にして嵌着することによって埋設状態に取り付けている。この装置本体１も上記ピン部材２と対向させて戸パネルＡの上下パネル枠部の少なくともいずれか一方に装着しておけばよく、図においては、上側のパネル枠部A1における蝶番Ｃ側に面した端部にその横長長方形状の上壁部の上面を該パネル枠部A1の上面と面一状にし、且つ、この上壁面に対して直角方向に屈折している一端面をパネル枠部A1の蝶番Ｃ側の一側端面に面一状に露出させた状態にして装着している。なお、この中空ケース体からなる装置本体１は金属製、もしくは硬質合成樹脂製である。
【００２４】
この装置本体１の上壁部における一端部には、戸パネルＡの開閉時に上記ピン部材２を挿脱可能に受け入れる溝孔部８を該上壁部の上下面間を貫通して設けている。この溝孔部８は上記蝶番Ｃの軸を中心とし且つこの軸と上記ピン部材２間の距離を半径とした円弧状溝に形成されてあり、溝幅はピン部材２の径よりも大きく且つその一端は装置本体１の一端面から外部に開口させている。なお、上記ピン部材２の長さは装置本体１内の上下幅方向における中程に達する長さに形成して上記スライダー部材５の係合部６と係脱し得るように構成しておけばよい。
【００２５】
さらに、装置本体１の上下壁部の一端部における上下対向面には、上記溝孔部８に対して蝶番Ｃ側に、該溝孔部８に並行するようにこの溝孔部８と同一方向に同一湾曲度でもって円弧状に湾曲した上記スライダー部材５のガイド溝９、９を設けている。なお、このガイド溝９、９は装置本体１の一端部における上下対向面に直接設けておいてもよいが、図においてはガイド溝９を設けている固定板10、10を装置本体の上下対向面にネジや接着剤等によって固着している。これらの上下ガイド溝９、９の一端部には、該ガイド溝９の長さ方向に対して蝶番Ｃ側に向かって略直角に屈折した係止溝部9aが形成されている。
【００２６】
スライダー部材５はその上下面を上記ガイド溝９、９を設けている上下固定板10、10の平滑な対向面に接して摺動移動可能な小さなブロック形状に形成されてあり、上記蝶番Ｃ側に向いている面側を基端部としてその基端部上下面における一端部と他端部とに互いに一定の間隔を存して第１係止ピン11と第２係止ピン12とを突設してあり、上面両端部に上方に向かって突設している第１、第２係止ピン11、12を上側のガイド溝９に、下面両端部に下方に向かって突設している第１、第２係止ピン11、12を下側のガイド溝９にそれぞれ摺動自在に挿入、係合させている。そして、一端側に突設している第１係止ピン11とこの第１係止ピン11を係脱自在に係止させる上記ガイド溝９の係止溝部9aとによってスライダー部材５がその位置で所定の姿勢を保持した不動状態でロックする上記ロック機構７を構成している。
【００２７】
さらに、上記溝孔部８側に向けている該スライダー部材５の先端面における一端部と他端部とに互いに上記ピン部材２を受け入れ可能な間隔を存して一定の突出長さを有する第１係合片6Aと第２係合片6Bとからなる係合部６を溝孔部８の下方空間部に向かって突設してあり、スライダー部材５がガイド溝９に沿って該ガイド溝９の一端側に移動して第１係止ピン11が該ガイド溝９の係止溝部9aに係止したロック状態においては、スライダー部材５は第２係止ピン12を支点としてその一端部が他端部に対して溝孔部８から係止溝部9a側に向かって後退する方向に傾動した状態となる。
【００２８】
従って、上記第１係合片6Aが溝孔部８の下方空間部から蝶番Ｃ側に向かって没入する方向に後退し、第２係合片6Bが係止溝部9aの下方空間部内に突出した状態となって、戸パネルＡの閉止時にピン部材２が第１係合片6Aの先端上を通過してこれらの第１係合片6Aと第２係合片6B間で形成している凹溝部13に受け入れられ、第２係合片6Bに当接、係止するように構成している。なお、これらの第１、第２係合片6A、6Bの対向面は、凹溝部13の開口端に向かって該凹溝部13の開口幅が徐々に幅広くなる方向に傾斜した傾斜係止面6a、6bにそれぞれ形成している。
【００２９】
また、上記装置本体１の他端部内に上記引き込み機能３を備えた緩衝手段４が配設されている。引き込み機能３はコイルスプリングからなり、緩衝手段４はダンパからなるもので、コイルスプリングからなる引き込み機能３とダンパからなる緩衝手段４とを装置本体１の長さ方向に向けた状態で並設し、コイルスプリングの一端とダンパのロッド端とを連結部材14に一体的に連結すると共にこれらのコイルスプリングとダンパとの他端を装置本体１の他端部内に固定している。さらに、上記連結部材14にリンク部材15の他端部を回動自在に連結すると共にこのリンク部材15の一端部を上記スライダー部材５の基端面における他端部、即ち、上記第２係止ピン12を中央にして第２係合片6B側とは反対側の端部に回動自在に連結している。なお、上記引き込み機能３であるコイルスプリングは、連結部材14とリンク部材15を介してスライダー部材５に常時、装置本体１の他端側に向かって引き寄せる方向に引き込み力（引張力）を付与している。
【００３０】
このように構成した開き戸の緩衝装置の作用を述べると、図１は戸パネルＡを一定角度開放している状態を示すもので、この状態においては、ドア枠Ｂの上枠部B1から下方に向かって突設しているピン部材２に対して、戸パネルＡの上側パネル枠部A1における端部に埋設状態で装着している装置本体１が離間していると共に、該装置本体１の一端部内に配設しているスライダー部材５がコイルスプリングからなる引き込み機能３とダンパからなる緩衝手段４のロッドとを伸長させた状態でスライダー部材５がその第１係止ピン11をガイド溝９の係止溝部9aに係止させてロックされている。
【００３１】
さらに、引き込み機能３の引き込み力、即ち、コイルスプリングの引張力が連結部材14とリンク部材15を介してスライダー部材５の上記第２係止ピン12を支点として第１係止ピン11を係止溝部9aの奥側端面に積極的に押し付ける方向に付勢してロック状態を保持している。
【００３２】
この状態から戸パネルＡを閉止方向に回動させると、装置本体１の上壁部の一端部に設けている上記溝孔部８が蝶番Ｃからなる支軸を中心としてピン部材２が相対的に移動する軌跡上に設けられているので、該ピン部材２が溝孔部８の開口端からこの溝孔部８内に進入するように挿入される。この際、上記スライダー部材５においては、ガイド溝９に挿入している他端側の第２係止ピン12に対して係止溝部9aに係止している第１係止ピン11が蝶番Ｃ側に偏位していて第１係合片6Aに対して第２係合片6Bを第１係合片6Aよりも溝孔部８の下方空間部内に突出させ、第１係合片6Aと第２係合片6B間の凹溝部13をピン部材２に向かって斜め方向に開口させているので、ピン部材２が溝孔部８の開口端部内に相対的に進入すると、該ピン部材２が第１係合片6A上を通過して凹溝部13内に受け入れられたのち、直ちに、図５に示すように、第２係合片6Bの傾斜係止面6bに当接することになる。
【００３３】
ピン部材２がスライダー部材５の第２係合片6Bに当接した状態から戸パネルＡがさらに閉止方向に回動すると、ピン部材２が第２係合片6Bを溝孔部８の他端部側に押し進めながら溝孔部８内を他端部側に向かって相対的に移動し、スライダー部材５がガイド溝９内の第２係止ピン12を支点として該ピン部材２の押圧力により上記コイルスプリングからなる引き込み機能３の引張力に抗して第１係止ピン11を係止溝部9aからガイド溝９の一端側に向かって移動させながら回動し、第１係止ピン11と係止溝部9aとの係止によるスライダー部材５のロックが解除されると同時に、該スライダー部材５の回動により第１係合片6Aがガイド溝９の下方空間部に向かって突出して図６に示すように該第１係合片6Aをピン部材２における進入方向と反対側の外周面部に当接させる。
【００３４】
このように、第１係止ピン11が係止溝部9aからガイド溝９の一端部にまで移動してスライダー部材５のロックが解除されると、引き込み機能３の引き込み力、即ち、スプリングの引張力によってスライダー部材５がその第１係合片6Aの傾斜係止面6aをピン部材２に係止させた状態でその第１、第２係止ピン11、12をガイド溝９内に沿って摺動させながら該ガイド溝９の他端部側に移動する。
【００３５】
この時、ピン部材２がドア枠Ｂの上枠部B1に固定されているので、上記引き込み機能３による引き込み力がピン部材２と係止しているスライダー部材５の第１係合片6Aを介して装置本体１をピン部材２側に引き寄せる方向に作用し、この作用力によって戸パネルＡが蝶番Ｃを中心として閉止する方向に付勢させられ、ピン部材２が装置本体１の溝孔部８内を該溝孔部８の奥底側である他端に向かって相対的に移動しながら図７に示すように戸パネルＡが閉止することになる。この際、ダンパからなる緩衝手段４によってコイルスプリングからなる引き込み機能３の引き込み力を制動しながら戸パネルＡをゆっくりと閉止させることができる。
【００３６】
次に、戸パネルＡを閉止状態から開放方向に回動させると、その回動に従ったピン部材２が溝孔部８の他端部側から一端開口部側に向かって相対的に移動し、その移動によって該ピン部材２と係止しているスライダー部材５の第１係合片6Aが引き込み機能３の引き寄せ力、即ち、コイルスプリングの引張力に抗して該コイルスプリングとダンパからなる緩衝手段４のロッドとを伸長させながらガイド溝９内に挿入、係合している第１係止ピン11と第２係止ピン12とをガイドとしてスライダー部材５をピン部材２と一体的に溝孔部８の一端開口部に向かって移動させる。
【００３７】
この時、スライダー部材５の第１係止ピン11が引き込み機能３の引き込み力、即ち、コイルスプリングの引張力によって第２係止ピン12を支点して常時、係止溝部9a側に向かって移動する方向に付勢されていると共に第１係合片6Aの傾斜係止面6aに係止して該第１係合片6Aを溝孔部８の開口端側に向かって押圧しているピン部材２によってもスライダー部材５が上記同様に第２係止ピン12を支点して常時、係止溝部9a側に向かって回動する方向に付勢されているので、スライダー部材５の第１係止ピン11がガイド溝９の一端部における係止溝部9aとの連設部に達すると、直ちにガイド溝９の一端から蝶番Ｃ側に向かって略直角に屈折しているこの係止溝部9a内に移動し、スライダー部材５が引き込み機能３の引き込み力によって上述したようにその位置でロック状態に固定されると同時にピン部材２と第１係合片6Aの傾斜係止面6aとの係止が解かれて該ピン部材２が凹溝部13の開口端から離脱し、戸パネルＡが所定の角度で開放され、この状態からは緩衝装置を作動させることなく通常の開き戸と同様に人手によって大きく開放させることができる。
【００３８】
なお、以上の実施の形態においては、引き込み機能３としてのコイルスプリングと緩衝手段４としてのダンパとを並設状態に配設しているが、ダンパ内に該ダンパのピストン部をスライダー部材５と引き寄せる方向に付勢するコイルスプリングを組み込むことによって引き込み機能３を備えた緩衝手段４を構成してもよく、さらには、その他の引き込み機能３を備えた緩衝手段４を採用してもよい。さらに、スライダー部材５を案内するガイド溝９を溝孔部８に対して蝶番Ｃ側に設けているが反対側に設けておいてもよく、また、溝孔部８はピン部材２の移動軌跡上に沿って円弧状に形成しておくことなく、装置本体１の上壁部を大きく切除してピン部材２が自由に出入りできる空間部を設けておけばよい。
【図面の簡単な説明】
【００３９】
【図１】緩衝装置を装着した戸パネルの要部の横断面図。
【図２】その縦断正面図。
【図３】装置本体の内部構造の斜視図。
【図４】戸パネルを開閉自在に設けてなる開き戸の一部斜視図。
【図５】ピン部材がスライダー部材に係合した状態の横断面図。
【図６】戸パネルが閉止する方向に回動する状態の一部の横断面図。
【図７】閉止した状態の一部の横断面図。
【符号の説明】
【００４０】
Ａ  戸パネル
Ｂ  ドア枠
Ｃ  蝶番
１  装置本体
２  ピン部材
３  引き込み機能であるスプリング
４  緩衝手段であるダンパ
５  スライダー部材
６  係合部
6A  第１係合片
6B  第２係合片
７  ロック手段
８  溝孔部
９  ガイド溝
11  第１係止ピン
12  第２係止ピン
15  リンク部材
【図１】
0004847209.tif 000002
【図２】
0004847209.tif 000003
【図３】
0004847209.tif 000004
【図４】
0004847209.tif 000005
【図５】
0004847209.tif 000006
【図６】
0004847209.tif 000007
【図７】
0004847209.tif 000008